(57)【特許請求の範囲】
【請求項１】
加熱炉内に連続して並べられたハースベッドの上に、該ハースベッドの表面に穿孔してあ
るガス噴出口から高温ガスを噴出することにより板ガラスを浮上させ、加熱炉の入口側か
ら出口側へと搬送しながら加熱していく間に、該板ガラスの自重によりハースベッド表面
の形状にならった形状に板ガラスを曲げて自動車用の窓ガラスを成形する装置において、
加熱炉の末端部に設置される最終ベッドは、
板ガラスの搬送方向に直角であるベッドの幅方向に対して所定の曲率を有する上方に湾曲
する凸状の搬送面を有するベッドであり、
かつ、最終ベッドの側面側から見て、ベッドの入口側から、ベッドの入口側端部と出口側
端部の中間部に設定される高さレベルの変位点までは平坦な高さレベルであって、
該変位点から出口側端部にかけては搬送面が漸次高さレベルを低減してゆく直線状を有す
るベッドであり、
かつ、該最終ベッドの底面が加熱炉のベッド支持台の上に、板ガラスの搬送方向に少なく
とも上向きに傾けられることなく、即ち、搬送方向に沿って、または搬送方向に対して下
向きに傾けて載置され、
かつ板ガラスを冷却する冷却装置が、板ガラスの搬送方向および搬送方向に直角である幅
方向の両方向に対して所定の曲率を有する上方へ湾曲した搬送面を有し、
該最終ベッドと該冷却装置は、
該最終ベッドの出口側端部における搬送面に沿って延長する方向に、即ち接線方向に、冷
却装置の該最終ベッドとの接続端部における搬送面の接線方向を合わせて滑らかな搬送面
となるように接続されていることを特徴とする板ガラスの複合曲げ装置。
【発明の詳細な説明】
【技術分野】
【０００１】
本発明は、自動車用の窓ガラスのように複合曲面を有するガラス板を成形する板ガラスの
複合曲げ装置に関する発明である。本明細書における複合曲面を有するガラス板とは、直
交するＸ−Ｙ軸の回りに曲面を形成した３次元的形状の板ガラスであり、特に、Ｚ軸の正
負の一方にのみ凸状に湾曲した所望の曲率を有するガラス板である。
【背景技術】
【０００２】
自動車用窓ガラスなどに使用される湾曲ガラス板は、型枠に載置されている板ガラスを加
熱軟化し重力作用により垂下させて曲げる重力曲げ方法、型を使用して加熱された板ガラ
スをプレス曲げするプレス曲げ方法、ハースベッドから噴出される高温ガスにより板ガラ
スを浮揚、移動させながら曲げるガスハース曲げ方法、板ガラスをロール搬送しながら搬
送ロールの形状に倣って曲げるローラハース曲げ方法などにより曲げ成形されており、湾
曲ガラス板の大きさ、形状によって適宜使い分けされている。
【０００３】
ガスハース炉により曲げ成形する方法は生産性が高く、低コストで生産できるメリットを
有しているが、ガラス板の搬送方向と直角であるベッドの幅方向に対して曲率を有する単
一曲げガラス板を製造するのは容易であるのに対して、搬送方向に曲げられている複合曲
げガラス板を製造することはその構造上容易ではなかった。以下では、ガラス板の搬送方
向をベッドの長手方向とし、長手方向を横断する搬送方向と直角な方向をベッドの幅方向
と表現する。ガスハース曲げ法は加熱炉内に連続して並べられたハースベッドの上を、該
ハースベッド表面に対してほぼ垂直にベッドの裏面から表面に貫通したガス噴出口を通し
て高温ガスを噴出することにより板ガラスを浮上させて、該板ガラスを加熱炉の入口側か
ら出口側へと搬送しながら加熱していく間に、板ガラスの自重により該ハースベッドに倣
った形状に次第に曲げ成形する方式である。
【０００４】
搬送方向の曲率半径が数万ｍｍの複合曲げガラス板を連続的に成形するためには、板ガラ
スを湾曲させる方向に、例えば下方向に搬送しながら高温軟化状態にあるガラス板を冷却
することにより所望の湾曲形状に固化する必要がある。
【０００５】
板ガラスを搬送方向に複合曲げする装置としては、特公昭４９−１０３３１号公報（米国
特許第３４０９４２２号明細書）記載の装置がよく知られている。この装置はガスハース
炉の最終に近いベッド以降の複数のハースベッドの搬送面と、ガスハース出口部の最終ベ
ッドに接続される冷却装置の搬送面とを、板ガラスの搬送方向にも湾曲している複合曲面
状としてある。該複合曲面状のベッドと冷却装置は搬送方向に次第に下向きに傾斜させて
配置することにより板ガラスを複合曲面状に曲げる装置である。この装置ではベッドと冷
却装置とが順次下向きに接続して配置されているので最終製品として取出す高さレベルが
低くなりすぎるという問題があった。また、単一曲げガラス板と複合曲げガラス板の製造
を相互に切替える際には、加熱炉内の最終に近い複数のベッドと該ベッドに接続される冷
却装置とを取り替える必要があり、さらには、複数のベッド間の傾斜角度と接続の調整、
および最終ベッドと冷却装置の接続と傾斜角度の調整を行う必要があり、製品切替え作業
の労力が甚大であった。
【０００６】
上記以外の複合曲げガラス板の成形装置として、特開平５−９０３７号公報（米国特許第
６０１４８７３明細書）、特開平６−１９１８６７号公報（米国特許第５５２２９１２明
細書）、特開平８−１５１２２１号公報記載の装置が提案されている。特開平５−９０３
７号公報記載の装置では、ガラス成形炉の出口近傍においてベッドが上がり勾配となって
おり、かつ所定の曲率を持つ上方に凸にされた複曲面形状を有する搬送面に沿って板ガラ
スを移送することにより複合曲げすることを特徴としている。しかしながら、単一曲げガ
ラス板生産から複合曲げガラス板の生産へ製品切替えをする時において、ベッドの交換だ
けでなくベッドの傾斜角度をも精緻に調整する必要がある。さらにまた、ベッドが上がり
勾配に傾けて設置されているので、次工程の冷却装置の高さレベルを高く保持できる点で
は好ましいものの、ガラス板に傷を発生させる点では望ましくないことがある。
【０００７】
特開平６−１９１８６７号公報記載の装置では、加熱炉の出口に近い最終ベッドはその上
面が加熱炉の出口に向って前上がり形状とされ、しかも最終ベッドの上面のうち少なくと
も加熱炉の出口に近い部分は板ガラスの搬送方向に沿って湾曲していることを特徴として
いる。しかしながら、前記特開平５−９０３７号公報に開示された技術と同様に、単一曲
げガラス板から複合曲げガラス板の生産へ製品切替えをする時において、ベッドの交換だ
けでなくベッドの傾斜角度をも精緻に調整する必要がある。また、ベッドが上がり勾配で
あることは、次工程の冷却装置の高さレベルを高く保持できる点では好ましいものの、ガ
ラス板に傷を発生させる点では望ましくないことがある。
【０００８】
本出願人の出願に係わる特開平８−１５１２２１号（特許第２８０９５９６号）公報に記
載される装置を使用する場合には、ベッド支持台の上で最終ベッドを、板ガラスの搬送方
向軸心からわずかな角度振るだけで複合曲げガラス板を製造する工程に切換えできるので
、品種に応じて特別な最終ベッドを用意する必要がなく、また、品種切り替え時の調整が
容易であることを特徴としている。しかしながら、曲率半径の小さいガラス板を製造しよ
うとすると、最終ベッドの振り角度が大きくなり最終ベッドと一つ手前のベッドとの隙間
が広がって噴出エアー圧の低下をきたすことになる。噴出エアー圧の低下により板ガラス
を浮上させる浮力が低下し、搬送されてくる板ガラスはベッドと擦れを生じて傷の発生や
割れが発生し易くなる。
【０００９】
【特許文献１】特公昭４９−１０３３１号公報
【特許文献２】特開平５−９０３７号公報
【特許文献３】特開平６−１９１８６７号公報
【特許文献４】特開平８−１５１２２１号公報
【発明の開示】
【発明が解決しようとする課題】
【００１０】
単一曲げガラスを生産するために建設されたガスハース曲げ成形装置を使用して複合曲げ
ガラス板を効率よく生産する時に、まず製品となるガラスに傷を発生させることがないこ
と、次に、次工程の冷却装置の高さレベルが低くなりすぎないこと、さらには、曲率の異
なるガラス製品を生産するための切替え作業が簡便、かつ容易であることが重要である。
前記した従来技術は、特に曲率半径の小さい複合曲げガラス板を製造する際に、製品とな
るガラス板に傷を発生させることがないこと、次工程の冷却装置の高さレベルが低くなり
すぎないことを両立させるに十分な技術であるとは言えない。さらには、曲率の異なるガ
ラス製品を生産するための切替え作業が簡便、かつ容易であるとも言えない。本発明は上
記の課題を解決することを目的とする。
【００１１】
本出願人は先に、板ガラスの複合曲げ装置の発明について特許出願（特願２００１−１１
５９８４号）をした。この発明の板ガラスの複合曲げ装置は、最終ベッドの搬送面が上方
に凸状のベッドであり、加熱炉の入り口側から出口側にかけて搬送方向に対してほぼ水平
に設定されたベッド支持台の出口側端部における最終ベッドをベッド支持台の上にガラス
板の搬送方向に傾けることなく単に載置するだけであるので、複合曲げの曲率が異なるガ
ラス品種を生産する時の切替え作業が極めて容易である。しかしながら、曲率半径が小さ
くなり上方に突き出る凸状頂点の突起高さが高くなると、即ち、板ガラスが搬送されてき
た方向に対して上向き勾配を形成する凸状頂点の突起高さが高くなると、ガスハース炉の
操業条件によっては傷を発生し易くなることが判明した。本発明は、前記の発明の技術的
背景を引継ぐものであるが、最終ベッドの形状をさらに工夫し傷の発生を極力抑えている
。
【課題を解決するための手段】
【００１２】
本発明の板ガラスの複合曲げ装置に用いる最終ベッドは、最終ベッドの入口側端部より出
口側端部の高さレベルを低くするベッドであり、かつ最終ベッドの中央部付近の変位点か
ら漸次搬送面の高さレベルが低減するベッドである。
【００１３】
このベッドは、最終ベッドの板ガラスの搬送方向に対する高さレベルが、入口端部側と出
口端部側の任意の中間部にある高さレベルの変位点までは平坦な高さレベルであって、最
終ベッドの側面側から見て、該変位点から出口側端部にかけては搬送面が漸次高さレベル
を低減してゆく直線状を有するベッドであり、かつ、該最終ベッドの底面が加熱炉のベッ
ド支持台の上に板ガラスの搬送方向に少なくとも上向きに傾けられることなく、即ち、搬
送方向に沿って、または搬送方向に対して下向きに傾けて載置されることを特徴とするベ
ッドである。
【００１４】
さらに、板ガラスの搬送方向および搬送方向に直角な幅方向の両方向に対して所定の曲率
を有する上方に湾曲した搬送面を有する板ガラスの冷却装置が、最終ベッドの出口側端部
において、該最終ベッドの側面から見て、該最終ベッドの漸次高さレベルが低減してゆく
直線状の搬送面に沿って延長する方向に、即ち接線方向に、冷却装置の該最終ベッドとの
接続端部における搬送面の接線方向を合わせて滑らかな搬送面となるように接続されてい
ることにより、板ガラスが複合曲げされる。
【００１５】
本発明により、最終ベッドの出口側端部の高さレベルを前記先願発明の場合よりもできる
だけ高く保持すると同時に、板ガラスに傷を発生させることの少ない最終ベッドと板ガラ
スの複合曲げ装置を提供できる。
【発明の効果】
【００１６】
本発明に係わるガスハース曲げ装置と複合曲げガラス板の成形装置は、自動車窓用の単一
曲げガラス板と複合曲げガラス板とを同一のガスハース炉を使用して生産する時に、最終
ベッドを複合曲げガラス用のベッドに交換したとしても最終ベッドで傷が発生せず、かつ
最終ベッドに接続される冷却装置の搬送系のレベルを比較的高く保つことのできる複合曲
げガラス板の成形装置であり、さらに望ましくは、品種切替え時における最終ベッドのレ
ベル調整作業の簡便さを失うことがなく、ガスハース曲げ法の特徴である高い生産効率を
維持できる複合曲げガラス板の成形装置である。最終ベッドの出口側端部における搬送面
と冷却装置の該最終ベッドとの接続端部における搬送面が滑らかな搬送面となるように接
続することにより、傷を発生させることなく複合曲げガラス板を効率よく生産できる。さ
らにまた、冷却装置の搬送系の高さレベルが低くなりすぎて、床にピットを掘ったり、床
面近くでの搬送装置の調整作業に難渋したりすることがない。
【発明を実施するための最良の形態】
【００１７】
個々のガスハース炉が有する固有の操業条件によっては、例えば、最大加熱量、または、
ベッド上面に形成された孔から噴出するガラス板浮上用のエアー圧力等の条件によっては
、入口側端部の高さレベルより高い位置に頂点部を有する搬送面でない最終ベッドの方が
望ましい場合がある。即ち、上がり勾配レベルを形成することは板ガラスの下面に傷を発
生させ易くなる場合がある。このようなガスハース炉の場合に、傷の発生を解決するため
に入口側端部から出口側端部にかけて漸次高さレベルが低減していく形状の最終ベッドを
使用すると、出口側端部の高さレベルが低くなりすぎて好ましくないことが判った。とり
わけ上方に湾曲した形状のベッドである時は、出口側端部の高さレベルが次工程の冷却装
置の搬送系の高さに顕著に影響する。
【００１８】
図１は、最終ベッド５の出口側端部の高さレベルΔｈ１、Δｈ２と冷却装置の搬送系端末
部の高さレベルΔｈ３、Δｈ４の関係を示しており、入口側端部から漸次高さレベルがΔ
ｈ２低減する例を破線で示し、ベッド中央部の変位点７から高さレベルがΔｈ１低減する
例を実線で示した。円弧で表わされた湾曲形状のベッドの場合は、出口側端部の高さレベ
ルの差が、冷却装置の搬送系端末部の高さレベルの差に可及的に影響していることが判る
。
【００１９】
板ガラスの搬送方向に対して、ベッドと冷却装置の搬送面２４が２００００ｍｍの曲率半
径を有し、ベッド長さが７６２ｍｍ、冷却装置の搬送面２４に沿っての円弧状の長さが約
２０００ｍｍである装置の場合、変位点の位置が入口側端部にあるときは出口側端部は約
１４．５ｍｍ低くなり、冷却装置のガラス板取出口においては約１９０ｍｍの高さ低減と
なる。一方、同じベッド長さと同じ冷却装置長さで変位点が最終ベッドの中央点にあると
きは、出口側端部は約３．６ｍｍ低くなり、冷却装置のガラス板取出口においては約１４
２ｍｍの高さ低減となる。
【００２０】
冷却装置から排出された板ガラスは、さらに冷却装置の搬送面の延長線上に下り勾配に搬
送されるので、冷却装置に接続する搬送系は上記の高さレベルよりもさらに下方になり、
同時に、高さレベルの差も拡大する。一方、直線勾配では、とりわけ変位点が一つの場合
は、出口側端部の高さレベルが冷却装置の搬送系端末部の高さレベルにあまり大きくは影
響しないが、それでも、出口側端部は高いレベルにある方が望ましい。
【００２１】
以下、図面を参照しながら、本発明を詳細に説明する。図２は、本発明の装置におけるガ
スハース法による板ガラスの複合曲げ装置の形態を示す縦断面図、図３は、搬送方向に直
角なベッドの幅方向に対して所定の曲率を有する上方に湾曲したベッドであり、かつ該最
終ベッドの出口側搬送面が側面から見て直線状に形成されているベッドの斜視図である。
図４は、最終ベッドを側面側から見た縦断面図を図示しており、ベッドのほぼ中央部の変
位点から出口側端部にかけて搬送面の高さレベルが漸次直線的に低減しているベッドの形
態を示している。
【００２２】
図５は、最終ベッドと冷却装置の接続角度を示しており、最終ベッドの出口側端部におい
て搬送面に沿って延長する方向、即ち接線方向９に、冷却装置の該最終ベッドとの接続端
部における搬送面の接線方向を合わせて接続角度を調整する。
【００２３】
図２に示すように、ガスハース炉１はトンネル型の加熱炉であり、その中には複数のハー
スベッド２が直線的に配設され、炉１の出口部に冷却装置２０が接続されている。ガスハ
ースベッド２の上面はガスハース炉の上流側、即ち、入口側では平面であるが、下流側に
向うに従い少しずつ搬送方向と直角のベッドの幅方向に曲げられて次第に曲率半径の小さ
い曲面となり、下流側の最終ベッドを含む複数個のベッド２は、ベッド幅方向に対して、
成形しようとする製品の曲率に曲げ加工されている。また、全てのベッドの上面には図示
されていない多数の孔が穿孔され、該孔から噴出する高温ガスにより板ガラス１０をベッ
ド上２に浮上し、浮上した板ガラス１０を駆動装置により入口側から出口側へと搬送する
。図３の斜視図に示される最終ベッドには、ベッド上面に穿孔されている高温ガスの噴出
孔１１を一部図示してある。
【００２４】
ガスハース炉の全てのベッド、２と５は、ガスハース炉の片方の側に沿って炉の入口側か
ら出口側にかけて設置されている、図示されていない駆動チェーンの側において水平面に
対し数度下げて傾けられており、板ガラス１０を図示されていない搬送治具に係止しやす
くなるような配置とされている。即ち、全てのベッド支持台は、上流側から下流側にかけ
て、数度の同一角度で傾いて設置されている。最終ベッドを単にベッド支持台に載置する
こととは、数度傾いているベッド支持台の上にベッドの底面を板ガラスの搬送方向には傾
けることなく載置することを意味している。
【００２５】
本発明における最終ベッド５は、図３、図４に示すように、板ガラスの搬送方向と直角な
ベッドの幅方向に対する該ベッドの搬送面をガラス製品の曲率にほぼ一致する所定の曲率
を有する上方に湾曲する形状とし、かつ、最終ベッド５の搬送面の高さレベルが変り始め
る変位点７を入口側と出口側の中間部に設ける。即ち、最終ベッド５の入口側から最終ベ
ッド５の入口側端部と出口側端部の中間部に設定される高さレベルの変位点７までは平坦
な高さレベルであって、変位点７から出口側端部にかけての搬送面の高さレベルはΔｈの
高さ漸次低減し、かつ漸次低減する形状が最終ベッド５の側面側から見て、直線的形状で
ある。
【００２６】
これにより、最終ベッドの入口側端部から出口側端部にかけて漸次高さレベルが低減する
搬送面を有するベッドに比較して、出口側端部の高さレベルが高めに保持できる。出口側
端部の高さレベルを高めに保持することは、次工程の冷却装置から複合曲げガラス板を搬
出するレベルを高めに保持できる利点がある。
【００２７】
この最終ベッドの変位点は、現在広く使用されているベッドサイズの場合、最終ベッドの
中央部付近が好ましい。直線勾配の場合、変位点が最終ベッドの中央部付近にあれば、一
度変位点で少し曲げられる。
【００２８】
図４に示す最終ベッド５は、同一の最終ベッドを使用して複合曲げガラス板の曲率をある
程度まで変更し、調整することができる。例えば、加熱炉の出口側近傍の温度調整、最終
ベッドと冷却装置の接続角度を変更すること等により板ガラスの搬送方向の曲率をある程
度まで変更し調整することができる。これにより品種切替の際に製品に要求される曲率毎
に逐一最終ベッドを準備する必要がなくなる。
【００２９】
ガスハース炉は板ガラスの搬送される方向に幾つかの温度制御ゾーンに分れていて、それ
ぞれのゾーンを目標温度に設定できる。このうち最終段階の数ゾーンの温度を調整するこ
とにより、板ガラスの搬送方向の曲率を調整できることを見いだした。特に最終段階の３
ゾーンの温度は複合曲げガラス板の曲率値の調整に対して敏感に応答する。最終段階の数
ゾーンはガスハース炉全長の２０％程度であり、３ゾーンは１５％程度に相当する。ガス
ハース炉の最終段階の数ゾーンの温度を制御することは、同一の最終ベッドを使用して複
合曲げガラス板の曲率値を調整する上で極めて有効な方法であることが判明した。
【００３０】
最終ベッドに接続される冷却装置は、最終ベッドの出口側端部における搬送面に沿って延
長する方向に、即ち接線方向に、冷却装置の接続端部における搬送面の接線方向を合わせ
て滑らかな搬送面となるように接続されるのが標準の設置である。しかしながら、最終ベ
ッドの出口側端部における該最終ベッドの搬送面に沿って延長する方向に対して、即ち接
線方向に対して冷却装置を上下方向に微小角度偏差させて（図５参照）、即ち、冷却装置
の接続角度を該接線方向に対して±αの微小角度だけ上下方向に傾斜させることによって
、複合曲げガラス板の板ガラスの搬送方向の曲率値を調整できる。
【００３１】
さらには、ガスハース炉の最終段階の数ゾーンの温度を制御することと、冷却装置の接続
角度αを調整すること等の組合わせ操作により、更に任意に複合曲げガラス板の曲率値を
調整できる。なお、接続角度αの調整は、冷却装置の下部エアーブロー冷却装置を４隅で
支えている４本の支柱に予め取付けてあるジャッキボルトにより高さと傾き角度を調整し
て行う。
【産業上の利用可能性】
【００３２】
本発明により、単一曲げガラス板と複合曲げガラス板とを同一のガスハース炉を使用して
生産するガスハース曲げ法による曲げガラス板の生産において、最終ベッドを複合曲げガ
ラス用のベッドに交換したとしても最終ベッドで傷が発生せず、かつ最終ベッドに接続さ
れる冷却装置の搬送系のレベルを比較的高く保つことのできる複合曲げガラス板の成形装
置が提供される。さらに望ましくは、品種切替え時における最終ベッドのレベル調整作業
の簡便さを失うことがなく、ガスハース曲げ法の特徴である高い生産効率を維持できる複
合曲げガラス板の成形装置が提供される。
【図面の簡単な説明】
【００３３】
【図１】最終ベッドの出口側端部の高さレベルと冷却装置の高さレベルの関係を示す図。
【図２】本発明の装置であるガスハース炉の縦断面図。
【図３】本発明の装置の実施例における最終ベッドの斜視図。
【図４】本発明の装置の実施例における最終ベッドの縦断面図。
【図５】本発明の装置の実施例における最終ベッドと冷却装置の接続角度の関係を示す縦断面図。
【符号の説明】
【００３４】
１ ガスハース炉
２ ガスハースベッド
４ ベッド支持台
５ 最終ベッド
７ 高さレベルの変位点
９ 最終ベッド搬送面の出口側端部における接線
１０ 板ガラス
１１ 高温ガスの噴出孔
２０ 冷却装置
２１ 冷却装置用エアーダクト管
２２ 上部エアーブロー急冷装置
２３ 下部エアーブロー急冷装置
２４ 冷却装置（下部エアーブロー）の搬送面
２５ 冷却装置のロール搬送系
【図１】
0004788688.tif 000002
【図２】
0004788688.tif 000003
【図３】
0004788688.tif 000004
【図４】
0004788688.tif 000005
【図５】
0004788688.tif 000006